(57)【要約】【課題】  刃端子と刃受け端子との間の電気的接続を良好に保つことが可能な端子接続構造、およびその端子接続構造を具備した計器試験機を提供する。【解決手段】  各端子取付面５ｂ，５ｃには、弾性を有する導電性金属材料から成る板材８ａ，８ｂの一端がネジ９で固定されている。各板材８ａ，８ｂは、一端が各端子取付面５ｂ，５ｃに固定されて、他端が遊動する片持ち梁状になっており、刃受け端子８（８Ａ，８Ｂ，８Ｃ，８Ｄ）を構成する。各刃受け端子８には、スマートメータ３に突出して設けられた各刃端子１０が圧入される。刃受け端子８を構成する各板材８ａ，８ｂの遊動端側は、長手方向にすり割りが入れられて、長手方向に４つに分割されている。したがって、各板材８ａ，８ｂはそれぞれ４つに分割された各分割部分で刃端子１０の両側面と接触するので、刃端子１０と刃受け端子８とは合計８箇所で電気的に接続されることになる。【選択図】  図２
2016090438.tif 000002
【特許請求の範囲】
【請求項１】
刃端子と刃受け端子とが刃受け端子の弾性により生じる接触圧で電気的に接続される端子接続構造において、
前記刃受け端子は、一端が固定されて他端が遊動する、長手方向に複数に分割された板材からなることを特徴とする端子接続構造。
【請求項２】
被試験計器に突出して設けられた刃端子が計器試験用結線器に備えられた刃受け端子に刃受け端子の弾性により生じる接触圧で電気的に接続される計器試験機において、
前記刃受け端子は、一端が固定されて他端が遊動する、長手方向に複数に分割された板材からなり、
前記刃端子が前記刃受け端子に電気的に接続される際に前記被試験計器に備えられた一方のコネクタが位置する位置に、一方の前記コネクタに電気的に接続される他方のコネクタを保持する保持具を備えることを特徴とする計器試験機。
【請求項３】
固定される前記一端から遊動する前記他端までの長さが異なる複数の前記刃受け端子を備えることを特徴とする請求項１に記載の端子接続構造または請求項２に記載の計器試験機。
【発明の詳細な説明】
【技術分野】
【０００１】
本発明は、刃端子と刃受け端子とが刃受け端子の弾性により生じる接触圧で電気的に接続される端子接続構造、および、その端子接続構造を具備した計器試験機に関するものである。
【背景技術】
【０００２】
従来、この種の端子接続構造としては、例えば、特許文献１に開示された電力量計におけるものがある。
【０００３】
この電力量計の端子接続構造では、同文献の図６，図７に示されるように、幅Ｌ４の刃端子３２１ａが幅Ｌ１の第１の刃受け端子３２１および幅Ｌ２の第２の刃受け端子３４１に挿入される。第１の刃受け端子３２１の挟持部３２１３および第２の刃受け端子３４１の挟持部３４１３の各スリット幅は、刃端子３２１ａの厚さ幅Ｗよりも狭い。このため、刃端子３２１ａが挿入されると挟持部３２１３および３４１３が拡開し、第１の刃受け端子３２１の胴部３２１４，３２１５および第２の刃受け端子３４１の胴部３４１４，３４１５により与えられる付勢力で、確実に、第１，第２の刃受け端子３２１，３４１と刃端子３２１ａとの電気的接続がなされる。
【先行技術文献】
【特許文献】
【０００４】
【特許文献１】特開２０１４−１２６４１８号公報
【発明の概要】
【発明が解決しようとする課題】
【０００５】
しかしながら、特許文献１に開示された上記従来の端子接続構造では、刃端子３２１ａと第１の刃受け端子３２１または第２の刃受け端子３４１との接触面に端子材料の突起部などがあると、刃端子３２１ａと第１の刃受け端子３２１または第２の刃受け端子３４１との間の電気的接続は、その突起部などの１点で行われることになる。このため、刃端子３２１ａと第１の刃受け端子３２１または第２の刃受け端子３４１との間の接触抵抗が高くなり、刃端子３２１ａと刃受け端子３２１または３４１との間の電気的接続が不安定になって好ましくない。
【課題を解決するための手段】
【０００６】
本発明はこのような課題を解決するためになされたもので、
刃端子と刃受け端子とが刃受け端子の弾性により生じる接触圧で電気的に接続される端子接続構造において、
刃受け端子が、一端が固定されて他端が遊動する、長手方向に複数に分割された板材からなることを特徴とする。
【０００７】
本構成によれば、刃端子と刃受け端子との間の電気的接続は、長手方向に複数に分割された板材からなる刃受け端子と刃端子との間の複数箇所で、行われる。このため、刃端子と刃受け端子との間の接触面に突起部などが存在しても、その突起部を挟む刃受け端子を形成する板材の分割部分と刃端子との間の電気的接続が不安定になるだけで、残りの箇所の板材の分割部分と刃端子との間の電気的接続は安定に保たれる。したがって、刃端子と刃受け端子との間の電気的接続を良好に保つことが可能な端子接続構造を提供することができる。
【０００８】
また、本発明は、
被試験計器に突出して設けられた刃端子が計器試験用結線器に備えられた刃受け端子に刃受け端子の弾性により生じる接触圧で電気的に接続される計器試験機において、
刃受け端子が、一端が固定されて他端が遊動する、長手方向に複数に分割された板材からなり、
刃端子が刃受け端子に電気的に接続される際に被試験計器に備えられた一方のコネクタが位置する位置に、一方のコネクタに電気的に接続される他方のコネクタを保持する保持具を備えることを特徴とする。
【０００９】
本構成においても、被試験計器に突出して設けられた刃端子と、計器試験用結線器に備えられた刃受け端子との間の電気的接続は、長手方向に複数に分割された板材からなる刃受け端子と刃端子との間の複数箇所で、確実に行われる。このため、被試験計器に突出して設けられた刃端子と、計器試験用結線器に備えられた刃受け端子との間の電気的接続を良好に保つことが可能な計器試験機を提供することができる。
【００１０】
また、被試験計器の計器試験機を用いた試験時において、被試験計器に突出して設けられた刃端子が計器試験用結線器に備えられた刃受け端子に電気的に接続される際、被試験計器に備えられた一方のコネクタと保持具に保持された他方のコネクタとは、同時に結合する。このため、被試験計器に備えられた一方のコネクタと保持具に保持された他方のコネクタとの結合が、刃端子と刃受け端子との電気的接続と同時に行えて、被試験計器のコネクタを経由する電気信号通信試験が容易に行える計器試験機を提供することができる。
【００１１】
また、本発明は、上記の端子接続構造または計器試験機において、固定される一端から遊動する他端までの長さが異なる複数の刃受け端子を備えることを特徴とする。
【００１２】
本構成によれば、刃端子と刃受け端子との電気的接続は、一端から他端までの長さが長い刃受け端子が、一端から他端までの長さが短い刃受け端子に先んじて行われる。したがって、刃端子と刃受け端子とを電気的に接続する際に要する力は、長さが長い刃受け端子と刃端子とが接続する際に要する力と、長さが短い刃受け端子と刃端子とが接続する際に要する力とに分散される。このため、刃端子と刃受け端子とを電気的に接続する際に要する力は軽くなり、刃端子と刃受け端子との電気的接続は容易に行えるようになる。
【発明の効果】
【００１３】
本発明によれば、刃端子と刃受け端子との間の電気的接続を良好に保つことが可能な端子接続構造、およびその端子接続構造を具備した計器試験機を提供することができる。
【図面の簡単な説明】
【００１４】
【図１】（ａ）は、本発明の一実施の形態による計器試験機の正面図、（ｂ）は側面図である。
【図２】（ａ）は、保持具を取り外した状態における図１に示す計器試験機の正面図、（ｂ）は側面図である。
【発明を実施するための形態】
【００１５】
次に、本発明による端子接続構造を計器試験機に適用した、本発明を実施するための形態について説明する。
【００１６】
図１（ａ）は、本発明の一実施の形態による計器試験機の正面図、同図（ｂ）は側面図である。
【００１７】
計器試験機は、計器試験用結線器１および保持具２が図示しないパネルに取り付けられて構成されている。計器試験用結線器１は両端部の４箇所に設けられた取付穴１ａに図示しないネジが挿入されて、保持具２は両端部の２箇所に設けられた取付穴２ａに図示しないネジが挿入されて、パネルに取り付けられる。この計器試験機は、被試験計器である例えばスマートメータ３の計量試験、およびモジュラージャックコネクタ４を経由する電気信号通信試験等をするために使用される。
【００１８】
図２（ａ）は、保持具２を取り外した状態における計器試験機の正面図、同図（ｂ）は側面図である。なお、図２において図１と同一部分には同一符号を付して説明する。
【００１９】
計器試験用結線器１には、黄銅等の導電性金属材料から成る４個の端子金具５（５Ａ，５Ｂ，５Ｃ，５Ｄ）が互いに平行に内蔵されている。各端子金具５は一方の端部に電線挿入口５ａが開口しており、電線６（６Ａ，６Ｂ，６Ｃ，６Ｄ）の被覆が剥がされた先端がこの電線挿入口５ａに挿入されて、端子ネジ７で固定されている。計器試験用結線器１の左側の２個の端子金具５Ａ，５Ｂに接続された２本の電線６Ａ，６Ｂには試験電力が供給され、右側の２個の端子金具５Ｃ，５Ｄに接続された２本の電線６Ｃ，６Ｄには試験用の負荷が接続される。
【００２０】
各端子金具５の他方の端部は、上面側および底面側が切削されて厚さが薄くなっており、この端部には端子取付面５ｂ，５ｃが対向して形成されている。各端子取付面５ｂ，５ｃには、弾性を有する導電性金属材料から成る板材８ａ，８ｂの一端がネジ９で固定されている。各板材８ａ，８ｂは、一端が各端子取付面５ｂ，５ｃに固定されて、他端が遊動する片持ち梁状になっており、刃受け端子８（８Ａ，８Ｂ，８Ｃ，８Ｄ）を構成する。各刃受け端子８には、スマートメータ３に突出して設けられた各刃端子１０が図示するように圧入される。
【００２１】
各板材８ａ，８ｂは同図（ｂ）の側面図に示すように端子金具５の中心線に対して互いに線対象に配置されており、遊動する他端には、互いに離反する方向に開く形状をした曲げ８a1，８b1が形成されている。板材８ａ，８ｂの先端におけるこの曲げ８a1，８b1は、刃受け端子８に刃端子１０が挿入される際に刃端子１０をガイドする機能を果たす。また、板材８ａ，８ｂ間の間隔が最も狭くなる刃端子１０を挟持する挟持部８ｃには、刃端子１０の厚さよりも狭い間隔が設けられている。この挟持部８ｃに刃端子１０が圧入されて刃受け端子８が拡開することで、板材８ａ，８ｂの胴部８a2，８b2には曲げ応力が加わる。スマートメータ３の刃端子１０は、この曲げ応力に応じて胴部８a2，８b2の弾性により生じる接触圧で、計器試験用結線器１に備えられた刃受け端子８に電気的に接続される。
【００２２】
本実施の形態では、刃受け端子８を構成する各板材８ａ，８ｂの遊動端側は、同図（ａ）の正面図に示すように長手方向にすり割りが入れられて、長手方向に４つに分割されている。したがって、各板材８ａ，８ｂはそれぞれ４つに分割された各分割部分で刃端子１０の両側面と接触するので、刃端子１０と刃受け端子８とは合計８箇所で電気的に接続されることになる。刃端子１０と刃受け端子８との間の接触面積は、こられ各箇所における接触面積を合計した適正な接触面積に確保され、負荷電流はこれら各箇所を分流して流れることになる。したがって、比較的大きな電流容量で試験通電を行うことも可能である。
【００２３】
なお、各板材８ａ，８ｂの分割数とすり割りを入れる長さを調節することで、刃端子１０と刃受け端子８との間の接触圧を調整することができ、この接触圧の調整で、刃端子１０を刃受け端子８に圧入する際の挿入圧も調整される。
【００２４】
また、本実施の形態では、計器試験用結線器１の両端部側に備えられた刃受け端子８Ａ，８Ｄと、計器試験用結線器１の中央側に備えられた刃受け端子８Ｂ，８Ｃとは、端子取付面５ｂ，５ｃに固定される一端から遊動する他端までの板材８ａ，８ｂの長さが異なり、刃受け端子８Ａ，８Ｄの各板材８ａ，８ｂの長さは、刃受け端子８Ｂ，８Ｃの各板材８ａ，８ｂの長さよりも寸法Ｌだけ長くなっている。
【００２５】
スマートメータ３の試験時、スマートメータ３は、矢印Ｅで示す図の上方から下方に向かう方向にスライドさせられることで、各刃端子１０が平行に各刃受け端子８に圧入されて、電気的に接続される。スマートメータ３の下方にはモジュラージャックコネクタ４が露出しており、一方、計器試験機側には、モジュラージャックコネクタ４に電気的に接続されるモジュラープラグコネクタ１１が、図１に示すようにアダプタ１２を介して保持具２に保持されている。同図（ａ）の正面図においては、モジュラージャックコネクタ４の上面側が破断された状態、同図（ｂ）の側面図においては、モジュラージャックコネクタ４およびアダプタ１２の各右側面側が破断された状態を示している。保持具２がモジュラープラグコネクタ１１を保持する位置は、スマートメータ３が上記のようにスライドさせられて刃端子１０が刃受け端子８に電気的に接続される際に、スマートメータ３に備えられたモジュラージャックコネクタ４が位置する位置になっている。
【００２６】
保持具２は、計器試験用結線器１の幅より広い間隔で鉄板が曲げ加工されて構成されており、計器試験用結線器１の斜め上方にはＬ字状曲げ部２ｂが形成されている。このＬ字状曲げ部２ｂには樹脂製のアダプタ１２がネジ１３，１４で固定されており、アダプタ１２にはモジュラープラグコネクタ１１が嵌合している。モジュラープラグコネクタ１１が嵌合する箇所のアダプタ１２には凹部が形成されており、モジュラープラグコネクタ１１はこの凹部に嵌まってその取付位置が動かないようになっている。また、アダプタ１２には貫通孔１２ａが形成され、Ｌ字状曲げ部２ｂにはこの貫通孔１２ａに連通する図示しない孔があいている。これらの貫通孔１２ａおよび孔にはモジュラープラグコネクタ１１から延出するリード線１５が通されている。
【００２７】
このような構成において、スマートメータ３の計量試験およびモジュラージャックコネクタ４を経由する電気信号通信試験は、スマートメータ３が上記のように矢印Ｅ方向にスライドさせられて、スマートメータ３の各刃端子１０が計器試験用結線器１に設けられた各刃受け端子８に圧入されて電気的に接続され、かつ、スマートメータ３に備えられたモジュラージャックコネクタ４が保持具２に保持されたモジュラープラグコネクタ１１に結合して電気的に接続されることで、行われる。スマートメータ３の各刃端子１０が計器試験用結線器１に設けられた各刃受け端子８に電気的に接続されると、スマートメータ３に電線６Ａ，６Ｂを介して電力が供給され、各電線６Ａ〜６Ｄには負荷電流が流れる。スマートメータ３の計量試験は、スマートメータ３がこの負荷電流に応じた使用電力量を計量することで、行われる。また、モジュラージャックコネクタ４を経由する電気信号通信試験は、電気的に接続されたモジュラージャックコネクタ４およびモジュラープラグコネクタ１１を経由して、スマートメータ３が計器試験機との間で電気信号を授受することで、行われる。
【００２８】
このような本実施の形態による端子接続構造および計器試験機によれば、スマートメータ３に突出して設けられた刃端子１０と、計器試験用結線器１に備えられた刃受け端子８との間の電気的接続は、上述したように、長手方向に４つにそれぞれ分割された板材８ａ，８ｂからなる刃受け端子８と刃端子１０の両側面との間の８箇所で、確実に行われる。このため、刃端子１０と刃受け端子８との間の接触面に端子材料等からなる突起部などが存在しても、その突起部などを挟む板材８ａまたは８ｂの分割部分と刃端子１０との間の電気的接続が不安定になるだけで、残りの箇所の板材８ａおよび８ｂの分割部分と刃端子１０との間の電気的接続は安定に保たれる。したがって、スマートメータ３に突出して設けられた刃端子１０と、計器試験用結線器１に備えられた刃受け端子８との間の電気的接続を良好に保つことが可能な端子接続構造および計器試験機を提供することができる。
【００２９】
また、スマートメータ３の計器試験機を用いた試験時において、スマートメータ３に突出して設けられた刃端子１０が計器試験用結線器１に備えられた刃受け端子８に電気的に接続される際、スマートメータ３に備えられた一方のモジュラージャックコネクタ４と保持具２に保持された他方のモジュラープラグコネクタ１１とは、同時に結合する。このため、スマートメータ３に備えられた一方のモジュラージャックコネクタ４と保持具２に保持された他方のモジュラープラグコネクタ１１との結合が、刃端子１０と刃受け端子８との電気的接続と同時に行えて、スマートメータ３のモジュラージャックコネクタ４を経由する電気信号通信試験が容易に行える計器試験機を提供することができる。
【００３０】
また、本実施の形態においては、刃端子１０と刃受け端子８との電気的接続は、一端から他端までの板材８ａ，８ｂの長さが長い刃受け端子８Ａ，８Ｄが、一端から他端までの板材８ａ，８ｂの長さが短い刃受け端子８Ｂ，８Ｃに先んじて行われる。したがって、刃端子１０と刃受け端子８とを電気的に接続する際に要する力は、板材８ａ，８ｂの長さが長い刃受け端子８Ａ，８Ｄと刃端子１０とが接続する際に要する力と、板材８ａ，８ｂの長さが短い刃受け端子８Ｂ，８Ｃと刃端子１０とが接続する際に要する力とに分散される。このため、刃端子１０と刃受け端子８とを電気的に接続する際に要する力は軽くなり、刃端子１０と刃受け端子８との電気的接続は容易に行えるようになる。
【００３１】
なお、本実施の形態では、刃受け端子８を２枚の板材８ａ，８ｂから構成した場合について説明したが、いずれか一方の板材８ａ，８ｂだけで刃受け端子８を構成するようにしてもよい。この場合においても、刃端子１０と刃受け端子８とは刃受け端子８の弾性により生じる接触圧で電気的に接続され、しかも、長手方向に４つに分割されたいずれか一方の板材８ａまたは８ｂと刃端子１０の一側面との間の４箇所で、刃端子１０と刃受け端子８との間の電気的接続が行われるので、上記の実施形態と同様な作用効果が奏される。
【００３２】
また、本実施の形態では、計器試験用結線器１および保持具２が取り付けられたパネルを固定し、スマートメータ３を下方へスライドさせた場合について説明したが、これとは逆に、スマートメータ３を固定し、計器試験用結線器１および保持具２が取り付けられたパネルを上方へスライドさせて、刃端子１０と刃受け端子８およびモジュラージャックコネクタ４とモジュラープラグコネクタ１１をそれぞれ接続するようにしてもよい。また、本実施の形態では、被試験計器をスマートメータ３とした場合について説明したが、被試験計器もこれに限定されるものではなく、刃端子を備える他の計器にも同様に適用することができる。このような各構成によっても、上記の実施形態と同様な作用効果が奏される。
【産業上の利用可能性】
【００３３】
上記の実施形態では、本発明による端子接続構造を計器試験機に適用した場合について、説明した。しかし、本発明による端子接続構造はこれに限定されるものではなく、刃端子と刃受け端子とが刃受け端子の弾性により生じる接触圧で電気的に接続される端子接続構造を備える他の電気機器、例えば、ユニット式電力量計などにも、同様に適用することができる。この場合、電力量計ユニットから突出する刃端子と、電力量計ユニットが装着されるベースユニットに備えられる刃受け端子との接続構造に、本発明による端子接続構造を適用することで、上述した実施の形態による端子接続構造と同様な作用効果が奏される。
【符号の説明】
【００３４】
１…計器試験用結線器
２…保持具
１ａ，２ａ…取付穴
２ｂ…Ｌ字状曲げ部
３…スマートメータ（被試験計器）
４…モジュラージャックコネクタ
５（５Ａ，５Ｂ，５Ｃ，５Ｄ）…端子金具
６（６Ａ，６Ｂ，６Ｃ，６Ｄ）…電線
７…端子ネジ
８（８Ａ，８Ｂ，８Ｃ，８Ｄ）…刃受け端子
８ａ，８ｂ…板材
８a1，８b1…曲げ
８a2，８b2…胴部
８ｃ…挟持部
９，１３，１４…ネジ
１０…刃端子
１１…モジュラープラグコネクタ
１５…リード線
【図１】
2016090438.tif 000003
【図２】
2016090438.tif 000004